(57)【特許請求の範囲】
【請求項１】
平面ディスプレイ装置のフロントパネルの裏面側に平面ディスプレイパネルを支持するための支持装置であって、
上記フロントパネルの裏面には、上記平面ディスプレイパネルをその周縁の複数個所において支持する複数の支持機構が設けられており、
上記支持機構は、
上記平面ディスプレイパネルの周縁部側面に当接する当接部、および、上記平面ディスプレイパネルの厚み方向に並ぶようにして設けられ、上記フロントパネルの裏面方向に向けて各歯が傾斜する鋸歯状の第１の係合歯列を備える支持部材と、
上記支持部材に対して上記平面ディスプレイパネルの厚み方向に位置調節可能に案内され、かつ、上記平面ディスプレイパネルの周縁部における裏面に対する押圧部、および、上記第１の係合歯列に弾性係合可能な第１の係合爪を有する押圧部材と、を備えていることを特徴とする、平面ディスプレイパネルの支持装置。
【請求項２】
上記支持部材は、上記フロントパネルの裏面に設けた支持ベースに対し、上記平面ディスプレイパネルの平面方向であって、上記平面ディスプレイパネルの周縁と交差する平面位置決め方向に位置調節可能に案内支持されている、請求項１に記載の平面ディスプレイパネルの支持装置。
【請求項３】
上記支持部材と上記支持ベースの一方には、各歯が一方向に傾斜する鋸歯状の第２の係合歯列が上記平面位置決め方向に並ぶようにして設けられているとともに、上記支持部材と上記支持ベースの他方には、上記第２の係合歯列に弾性係合可能な第２の係合爪が設けられている、請求項２に記載の平面ディスプレイパネルの支持装置。
【請求項４】
上記第２の係合歯列は上記支持部材から一体的に延出する第１板状部材の一面に形成されている一方、上記第２の係合爪は上記支持ベースから上記第１板状部材と厚み方向に重なるように延出する第２板状部材に形成されており、
上記第１板状部材と上記第２板状部材との一方には、幅方向位置と長手方向位置とが互いに異なる複数の貫通孔が形成されているとともに、上記第１板状部材と上記第２板状部材の他方には、複数の貫通孔のいずれか１つの貫通孔の幅方向位置と対応する位置に形成された１つの貫通孔が形成されている、請求項３に記載の平面ディスプレイパネルの支持装置。
【請求項５】
平面ディスプレイパネルと、
裏面側に上記平面ディスプレイパネルをその側縁の複数箇所において支持する複数の支持機構が設けられたフロントパネルと、を備え、
上記支持機構は、
上記平面ディスプレイパネルの周縁部側面に当接する当接部、および、上記平面ディスプレイパネルの厚み方向に並ぶようにして設けられ、上記フロントパネルの裏面方向に向けて各歯が傾斜する鋸歯状の第１の係合歯列を備える支持部材と、
上記支持部材に対して上記平面ディスプレイパネルの厚み方向に位置調節可能に案内され、かつ、上記平面ディスプレイパネルの周縁部における裏面に対する押圧部、および、上記第１の係合歯列に弾性係合可能な第１の係合爪を有する押圧部材と、を備えていることを特徴とする、ディスプレイ装置。
【請求項６】
上記支持部材は、上記フロントパネルの裏面に設けた支持ベースに対し、上記平面ディスプレイパネルの平面方向であって、上記平面ディスプレイパネルの周縁と交差する平面位置決め方向に位置調節可能に案内支持されている、請求項５に記載のディスプレイ装置。
【請求項７】
上記支持部材と上記支持ベースの一方には、各歯が一方向に傾斜する鋸歯状の第２の係合歯列が上記平面位置決め方向に並ぶようにして設けられているとともに、上記支持部材と上記支持ベースの他方には、上記第２の係合歯列に弾性係合可能な第２の係合爪が設けられている、請求項６に記載のディスプレイ装置。
【請求項８】
上記第２の係合歯列は上記支持部材から一体的に延出する第１板状部材の一面に形成されている一方、上記第２の係合爪は上記支持ベースから上記第１板状部材と厚み方向に重なるように延出する第２板状部材に形成されており、
上記第１板状部材と上記第２板状部材との一方には、幅方向位置と長手方向位置とが互いに異なる複数の貫通孔が形成されているとともに、上記第１板状部材と上記第２板状部材の他方には、複数の貫通孔のいずれか１つの貫通孔の幅方向位置と対応する位置に形成された１つの貫通孔が形成されている、請求項７に記載のディスプレイ装置。
【発明の詳細な説明】
【技術分野】
【０００１】
本発明は、平面ディスプレイ装置のフロントパネルの裏面側に平面ディスプレイパネルを支持固定する支持装置に関する。
【背景技術】
【０００２】
液晶表示装置等の平面ディスプレイ装置は、本体ケースの前面に取り付けられるフロントパネルの裏面側に液晶表示パネル等の平面ディスプレイパネルを支持固定して構成される。フロントパネルの裏面側には、特許文献１に記載されているように、上記平面ディスプレイパネルを支持固定するための支持機構が設けられる。図５および図６は、フロントパネルに対する平面ディスプレイパネルの一般的な支持固定構造を示しており、図５は平面ディスプレイパネル９２を支持固定した状態のフロントパネル９１を裏面から見た図であり、図６は図５のVI-VI線に沿う断面図である。
【０００３】
図５および図６に示されるように、平面ディスプレイパネル９２は、その表面側の有効表示領域がフロントパネル９１の開口９１ａに臨ませるようにして、６個の支持機構Ｘによってフロントパネル９１に固定されている。６個の支持機構Ｘは、長矩形状をした平面ディスプレイパネル９２の周縁部９２ａをフロントパネル９１に押し付け、かつ、面方向の位置を規定できるようになっている。すなわち、各支持機構Ｘは、図６に示すように、先端にフック爪９５を有し、かつフロントパネル９１の裏面側から一体的に延出するとともに弾性的に変形可能な支持部材９４を備えて構成されている。フック爪９５は、フロントパネル９１の開口９１ａの裏面側に延出するリブ９１ｂの頂部９１ｃから平面ディスプレイパネル９２の厚み分図６中の上方に変移した位置に形成される。この支持部材９４の内側面は、平面ディスプレイパネル９２の周縁部９２ａに当接してこの平面ディスプレイパネル９２の面方向の位置を規定する。フロントパネル９１との関係においてその面方向の相対的な位置を合わせつつ上記の平面ディスプレイパネル９２をフロントパネル９１の裏面側に押し付けるようにすると、平面ディスプレイパネル９２の周縁部９２ａが上記フック爪９５の斜面を押して支持部材９４を外方に撓ませ、平面ディスプレイパネル９２の前面が上記のリブ９１ｂの頂部９１ｃに当接した時点で支持部材９４が弾性復帰し、フック爪９５が平面ディスプレイパネル９２の周縁部９２ａの裏面に係合するとともに、支持部材９４の内面が平面ディスプレイパネル９２の周縁部９２ａに弾性的に当接する。こうして平面ディスプレイパネル９２は面的な位置決めがなされつつ、フロントパネル９１の裏面に支持固定される。
【０００４】
【特許文献１】特開２００３−９８５１０号公報
【発明の開示】
【発明が解決しようとする課題】
【０００５】
ところで、平面ディスプレイ装置の製造にあたり、その構成要素としての平面ディスプレイパネルを複数のメーカーから購入する場合がある。この場合、有効表示領域の大きさが同じであっても、購入先の相違により、平面ディスプレイパネルの外形寸法や厚みが異なることがある。また、平面ディスプレイパネルによっては、その周縁部の各所において、厚み方向の寸法が一定ではないものもある。さらには、同一の購入先からの平面ディスプレイパネルであっても、その平面的な寸法や厚みに、若干の誤差が存在する。
【０００６】
図５および図６に示した従来の支持機構Ｘでは、支持部材９４は、フロントパネル９１の裏面側の一定位置に設けられ、また、フック爪９５が一定位置に設けられているため、上記のように外形寸法や厚み寸法が異なる場合、このような平面ディスプレイパネル９２を適切に支持固定することができなかった。また、この問題は、予定される複数種類の平面ディスプレイパネルに合わせて、支持部材の設置位置やフック爪の形成位置を異ならせた複数種類のフロントパネルを準備することにより解消しうるが、それには金型費用の高騰や在庫管理の煩雑化を招くという新たな問題が発生する。
【０００７】
本発明は、このような事情のもとで考え出されたものであって、複数の異なるサイズの平面ディスプレイパネルを同一のフロントパネルに固定可能な支持構造を提供することを課題とする。
【課題を解決するための手段】
【０００８】
本発明により提供される平面ディスプレイパネルの支持装置は、平面ディスプレイ装置のフロントパネルの裏面側に平面ディスプレイパネルを支持するための支持装置であって、上記フロントパネルの裏面には、上記平面ディスプレイパネルをその周縁の複数個所において支持する複数の支持機構が設けられており、上記支持機構は、上記平面ディスプレイパネルの周縁部側面に当接する当接部、および、上記平面ディスプレイパネルの厚み方向に並ぶようにして設けられ、上記フロントパネルの裏面方向に向けて各歯が傾斜する鋸歯状の第１の係合歯列を備える支持部材と、上記支持部材に対して上記平面ディスプレイパネルの厚み方向に位置調節可能に案内され、かつ、上記平面ディスプレイパネルの周縁部における裏面に対する押圧部、および、上記第１の係合歯列に弾性係合可能な第１の係合爪を有する押圧部材と、を備えていることを特徴としている。
【０００９】
【００１０】
好ましくは、上記支持部材は、上記フロントパネルの裏面に設けた支持ベースに対し、上記平面ディスプレイパネルの平面方向であって、上記平面ディスプレイパネルの周縁と交差する平面位置決め方向に位置調節可能に案内支持されている。
【００１１】
好ましくは、上記支持部材と上記支持ベースの一方には、各歯が一方向に傾斜する鋸歯状の第２の係合歯列が上記平面位置決め方向に並ぶようにして設けられているとともに、上記支持部材と上記支持ベースの他方には、上記第２の係合歯列に弾性係合可能な第２の係合爪が設けられている。
【００１２】
好ましくは、上記第２の係合歯列は上記支持部材から一体的に延出する第１板状部材の一面に形成されている一方、上記第２の係合爪は上記支持ベースから上記第１板状部材と厚み方向に重なるように延出する第２板状部材に形成されており、上記第１板状部材と上記第２板状部材との一方には、幅方向位置と長手方向位置とが互いに異なる複数の貫通孔が形成されているとともに、上記第１板状部材と上記第２板状部材の他方には、複数の貫通孔のいずれか１つの貫通孔の幅方向位置と対応する位置に形成された１つの貫通孔が形成されている
【００１３】
本発明のその他の利点および特徴については、以下に行う発明の実施形態の説明から、より明らかとなるであろう。
【図面の簡単な説明】
【００１４】
【図１】本発明に係る支持装置を備えたフロントパネルの裏面図である。
【図２】図１の支持機構Ａ近傍の拡大図である。
【図３】図２のIII-III線に沿う断面図である。
【図４】図３の支持ベースに舌片を挿入した状態を示す図である。
【図５】従来の支持構造を備えたフロントパネルの裏面図である。
【図６】図５のVI-VI線に沿う断面図である。
【発明を実施するための最良の形態】
【００１５】
以下、本発明の好ましい実施形態について、図面を参照しつつ具体的に説明する。
【００１６】
本発明に係る支持装置は、たとえば、液晶表示装置等の平面ディスプレイ装置において、本体ケースの前面に取り付けられるフロントパネルの裏面側に液晶表示パネル等の平面ディスプレイパネルを支持固定するのに用いられる。図１は平面ディスプレイパネル２を支持固定した状態のフロントパネル１の裏面図である。図１に示すように、このフロントパネル１は、その背面側に、矩形外形を有する平面ディスプレイパネル２を支持固定するための支持機構Ａを６個備えている。支持機構Ａは平面ディスプレイパネル２の向かい合う長辺にそれぞれ１個ずつ、向かい合う短辺にそれぞれ２個ずつ設置されており、図１中の４方向から平面ディスプレイパネル２を押圧している。このような支持機構Ａ近傍の拡大図を図２に示す。さらに図２のIII-III線に沿う断面図を図３に示す。
【００１７】
図２および図３に示すように、この支持機構Ａは、フロントパネル１に対して一体的に設置される支持ベース３と、この支持ベース３に対して平面ディスプレイパネル２の面方向に位置調節可能な支持部材４と、この支持部材４に対して平面ディスプレイパネル２の厚み方向に位置調整可能であり、かつ、平面ディスプレイパネル２の周縁部の裏面を押圧することができる押圧部材５とを備えて構成されている。フロントパネル１は、平面ディスプレイパネル２の表面側の有効表示領域を露出させるための開口１ａを備えている。この開口１ａの裏面側に延出するリブ１ｂの頂部１ｃは、平面ディスプレイパネル２の表面を支持するように構成されている。
【００１８】
支持部材４は、基端部４ａがフロントパネル１の裏面に付き当てられ、所定幅をもって平面ディスプレイパネル２の厚み方向に延出する板状を呈しており、たとえば樹脂によって形成される。この支持部材４の外面側の基端方には、幅方向の２箇所において三角状の倒れ防止リブ４ｂが一体形成されているとともに、内面側には、フロントパネル１の裏面方向に向けて各歯が傾斜する鋸歯状の係合歯列６が形成されている。この支持部材４の内面側にはまた、その幅方向の２箇所において、リブ状の当接部４ｃが形成されている。この当接部４ｃは平面ディスプレイパネル２の周縁部側面２ａに好適に接触可能なように構成されている。さらに、内方に向けて延びる一定幅の舌片４ｄが一体形成されており、この舌片４ｄの図３中の上面には、平面ディスプレイパネル２の外方に向けて各歯が傾斜する鋸歯状の係合歯列７が形成されている。
【００１９】
押圧部材５は、図２に表れているように、全体として枠状をした部材であり、上記支持部材４における係合歯列６が設けられた部位に外嵌される。この押圧部材５の外枠部５ａは、この押圧部材５全体を押し込み操作するための操作部として機能する。この押圧部材５の内枠部５ｂの外面には、平面ディスプレイパネル２の周縁部の裏面を弾性的に押圧するための板ばね状の押圧部５ｃが一体形成されている。この押圧部材５の内枠部５ｂの内面には、係合歯列６に弾性係合可能な係合爪５ｄが一体形成されている。この係合爪５ｄにはまた、この係合爪５ｄを強制的に撓ませて係合歯列６との係合を解除することができる解除レバー５ｅが一体に形成されている。
【００２０】
支持ベース３は、支持部材４の舌片４ｄが嵌合してこの舌片４ｄをその長手方向に案内する溝３ａを図３中の上面に有している。この支持ベース３はまた、舌片４ｄの図３中の上面に形成された係合歯列７に弾性係合可能な係合爪３ｂが、アーム部３ｃを介して一体に形成されている。支持ベース３が舌片４ｄを案内するべき方向は、平面ディスプレイパネル２の周縁と交差する方向とするべきである。
【００２１】
図４は、アーム部３ｃと舌片４ｄとの関係を説明するために、両者を重ねて示した図である。図４においては、平面ディスプレイパネル２や押圧部材４本体などは省略している。また、図４における左右方向が、平面ディスプレイパネル２の周縁と交差する方向となっており、左方が平面ディスプレイパネル２の内方であり、右方が外方となっている。図４に示すように、舌片４ｄのアーム部３ｃと向かい合う面上には、３つの貫通孔８ａ，８ｂ，８ｃが形成されている。これらの貫通孔８ａ，８ｂ，８ｃは、舌片４ｄの上面から下面へ厚み方向に沿って貫通するように形成されている。貫通孔８ａ，８ｂ，８ｃは、図４中の上から下へ向けて順に、アーム部３ｃの長手方向に所定距離ずつずれて並んでいる。一方、アーム部３ｃには、３つの貫通孔９ａ，９ｂ，９ｃが、厚み方向に沿って貫通するように形成されている。これらの貫通孔９ａ，９ｂ，９ｃは、アーム部３ｃの係合爪３ｂよりも内方寄りに、幅方向に沿って一列に並んで形成されている。また、舌片４ｄの図４中の上側側面の外方向寄りには上方向へ突出する突起１０が形成されている。
【００２２】
支持ベース３に形成された溝３ａに舌片４ｄを挿入し、舌片４ｄを内方向へ向けて動かすと、貫通孔８ａと貫通孔９ａとが重なるように構成されている。その状態から舌片４ｄを内方向へ進めると、貫通孔８ｂと貫通孔９ｂとが重なり、さらに進めれば貫通孔８ｃと貫通孔９ｃとが重なるように構成されている。また、舌片４ｄは、突起１０が支持ベース３に接触するまで、内方向へ向けて移動させることが可能である。このように、各貫通孔８ａ，８ｂ，８ｃ，９ａ，９ｂ，９ｃが重なる位置に舌片４ｄがきた場合や、突起１０と支持ベース３とが接触する場合における当接部４ｃの位置は、それぞれ異なる種類の平面ディスプレイパネル２の規定の大きさに対応している。すなわち、貫通孔８ａと貫通孔９ａとが重なる場合における当接部４ｃの位置が、ある平面ディスプレイパネル２の側面を好適に支持可能なように構成されている。さらに、この際、開口１ａから露出する平面ディスプレイパネル２の有効表示領域が正確な位置にくるようにも構成されている。貫通孔８ｂと貫通孔９ｂとが重なる場合、貫通孔８ｃと貫通孔９ｃとが重なる場合、および、突起１０と支持ベース３とが接触する場合においても、同様である。
【００２３】
次に、支持機構Ａの作用について説明する。
【００２４】
支持機構Ａにおいて、当接部４ｃが平面ディスプレイパネル２の周縁部側面２ａに当接し、平面ディスプレイパネル２の面方向の位置を規定する。また、押圧部５ｃが平面ディスプレイパネル２の周縁部の裏面を押圧支持するように構成されている。一方、平面ディスプレイパネル２の表面は、フロントパネル１の開口１ａの裏面側に延出するリブ１ｂの頂部１ｃによって支持されている。すなわち、平面ディスプレイパネル２は、その表裏をリブ１ｂの頂部１ｃと押圧部５ｃとで挟まれ、周縁部側面２ａを４方から当接部４ｃで押圧支持されることで、フロントパネル１の裏面に支持固定される。
【００２５】
支持機構Ａにおいて、押圧部材５は、係合歯列６と係合する係合爪５ｄによって、支持部材４に一時的に固定可能であるとともに、係合歯列６と係合爪５ｄの形状から、フロントパネル１の裏面方向へ向けて押し下げることが可能である。係合歯列６における各歯は、フロントパネル１の裏面方向側が水平となっており、係合爪５ｄが引っかかるように形成されている。このため、押圧部材５を、フロントパネル１の裏面方向から離す方向へは動かすことができない。しかし、解除レバー５ｅを用い、係合爪５ｄを強制的に撓ませることで、係合を解除し、係合歯列６が並ぶ方向に沿って上下自在に移動可能となり、支持部材４から取り外すことも可能である。
【００２６】
支持機構Ａにおいて、支持部材４は、支持ベース３に形成された溝３ａに挿入される舌片４ｄと、フロントパネル１の裏面に突き当てられた基端部４ａとによって、支持されている。舌片４ｄに設けられた係合歯列７と係合爪３ｂが係合することで、支持部材４の面方向の位置は固定される。係合歯列７の各歯は、平面ディスプレイパネル２の外方側が垂直となっているので、舌片４ｄの外方への移動は制限される。逆に平面ディスプレイパネル２の内方へは、力を加えて押し込むことが可能である。ただし、アーム部３ｃを撓ませることで、係合爪３ｂを係合歯列７から引き離すことができ、舌片４ｄを溝３ａに沿って平面ディスプレイパネル２の内方・外方の双方に移動させることが可能となる。
【００２７】
上に述べたように、支持機構Ａにおいては、平面ディスプレイパネル２を支持固定するための当接部４ｃと押圧部５ｃとを係合歯列６，７の１ピッチ分ずつ所定方向に移動させることが可能となっている。このため、複数の異なる外見寸法や厚みの平面ディスプレイパネル２をフロントパネル１の裏面に、平面ディスプレイパネル２の有効表示領域全体が開口１ａに臨むように位置決めして固定することができる。また、各支持機構Ａにおいて各当接部４ｃごとに位置調整可能なため、仮に、平面ディスプレイパネル２の平面的な寸法や厚みに誤差があったとしても固定および上記の位置決めを行うことができる。
【００２８】
平面ディスプレイパネル２を支持機構Ａによってフロントパネル１の裏面へ固定するには、たとえば、以下のような方法が用いられる。なお、以下の例では、平面ディスプレイパネル２のサイズは、貫通孔８ａと貫通孔９ａとが重なる場合に対応するものとする。
【００２９】
まず、６つの支持機構Ａにおいて、押圧部材５を支持部材４から外した状態で、舌片４ｄを溝３ａに挿入し、貫通孔８ａと貫通孔９ａとが重なる位置まで支持部材４をスライドさせる。次に、平面ディスプレイパネル２を当接部４ｃに沿うようにリブ１ｂの頂部１ｃに設置する。この際、貫通孔８ａと貫通孔９ａとが重なる場合の当接部４ｃの位置が、この平面ディスプレイ２の周縁部側面２ａに当接し、平面ディスプレイパネル２の有効表示領域が開口１ａに臨むように、支持機構Ａは設計されている。
【００３０】
次に、実際に平面ディスプレイ２の有効表示領域が開口１ａに臨んでいるか、各当接部４ｃが平面ディスプレイパネル２の周縁部側面２ａに当接しているかをチェックする。仮に、正確に設置できていなければ、各当接部４ｃにおいて、支持部材４の位置を調整し、正確な位置決めを行う。その後、押圧部材５を支持部材４に嵌め込み、押圧部５ｃが平面ディスプレイパネル２の周縁部側面２ａの裏面を弾性的に押圧するまで外枠部５ａを押して押圧部材５をスライドさせる。
【００３１】
以上のような手順によれば、フロントパネル１の裏面に平面ディスプレイパネル２をスムーズに固定し、同時に平面ディスプレイパネル２の有効表示領域が開口１ａに臨むように位置決めすることができる。なお、各貫通孔のその他の組み合わせの場合と支持ベース３と突起１０が接する場合とに対応する平面ディスプレイパネル２に対しても、同様に固定および位置決めを行うことができる。
【００３２】
ただし、上記の固定および位置決めの方法は一例であり、たとえば、押圧部材５を支持部材４から取り外さずに設置を行う方法もある。その場合、６つの支持機構Ａのうち、図１中の右側にある２つと上側にある１つとにおいて上記の方法に沿い支持部材４の位置を決め、その他の支持機構Ａにおいては溝３ａに舌片４ｄの先端のみが入る状態にしてから設置を行う。すなわち、図１中の左側と下側にある支持機構Ａにおいて、支持部材４が外方寄りに配置されているので、内方へ張り出す押圧部材５によって妨げられることなく平面ディスプレイパネル２をリブ１ｂの頂部１ｃに設置することができる。設置後は、各支持部材４をスライドさせ、続いて押圧部材５をスライドさせることで、平面ディスプレイパネル２の固定および位置決めを行うことができる。
【００３３】
このように、支持機構Ａを備えたフロントパネル１は、平面ディスプレイパネル２の外形寸法や厚み寸法が異なっても適切に支持固定できるので、フロントパネル１を単一化することができ、コストダウンを実現できる。さらに、平面ディスプレイパネル２の同一製品内における外形寸法や厚み寸法の誤差に対しても支持機構Ａは微調整可能である。
【００３４】
本発明の範囲は上記した実施形態に限定されるものではなく、各請求項に記載した事項の範囲内でのあらゆる変更は本発明の範囲に含まれる。たとえば、貫通孔の数などは自在に設定可能であるし、支持機構の設置数も最低限の支持固定可能な範囲において自在に変更可能である。
【図１】
0004699512.tif 000002
【図２】
0004699512.tif 000003
【図３】
0004699512.tif 000004
【図４】
0004699512.tif 000005
【図５】
0004699512.tif 000006
【図６】
0004699512.tif 000007